(57)【要約】【課題】  カレンダー用紙の差しかえや並べ替えが簡単にできる吊り支持具でカレンダー用紙を係止して支持するカレンダーを提供することを課題とする。【解決手段】  表板、底板及び裏板が断面コ字形を形成した表板、底板及び裏板からなる吊り支持具と上部にスリットを設けたカレンダー用紙からなり、用紙に設けたスリットに裏板、底板を挿通して、底板でカレンダー用紙を係止し、容易にカレンダー用紙の差しかえや並べ替えができるカレンダーを提供する。【選択図】図１
2014231215.tif 000002
【特許請求の範囲】
【請求項１】
表板、底板及び裏板が断面コ字形を形成し、表板、底板及び裏板からなる吊り支持具とスリットを設けたカレンダー用紙からなり、表板及び裏板の少なくとも一方の幅と底板の幅がカレンダー用紙に設けたスリットの長さより短く形成し、該スリットに吊り支持具を挿通し吊り支持具でカレンダー用紙を係止して支持することを特徴とするカレンダー。
【請求項２】
前記吊り支持具表板の左右下部に切り欠きを設け、表板下部の幅がカレンダー用紙に設けたスリットの長さより短く形成することを特徴とする請求項１に記載のカレンダー。
【請求項３】
前記吊り支持具が可撓性を有し、吊り支持具が撓んで吊り下げることを特徴とする請求項１から２のいずれかに記載のカレンダー。
【請求項４】
前記吊り支持具が紙、布、樹脂及び金属の中から選ばれ、単一のシート又は複合シートであることを特徴とする請求項１から３のいずれかに記載のカレンダー。
【請求項５】
前記吊り支持具が表板上部に切れ目を施した天板を設け、裏板下部に切れ目を施した差し込み部を設け、裏板下部の差し込み部を天板切れ目に挿入して、天板、表板、底板及び裏板が断面四角形を形成し、吊り支持具の幅を用紙に設けるスリットの長さより、やや短めにすることで、掲載の終わったカレンダー用紙を吊り支持具から取ることなく、吊り支持具を挿通してカレンダー用紙の後部に移動することができることを特徴とする請求項１から４のいずれかに記載のカレンダー。
【発明の詳細な説明】
【技術分野】
【０００１】  本発明は、吊り支持具でカレンダー用紙を係止するカレンダーに関する。
【背景技術】
【０００２】  従来の壁掛けカレンダーは、金属板や樹脂板の支持部材でカレンダー用紙を固定し、支持部材に施した穴を用いて壁掛けにしている。または、カレンダー用紙を接着剤で接着し又は圧着し、樹脂又は厚紙で上部を綴じて、さらに穴を空けて壁に掛けている。あるいは、二つ折りしたカレンダー用紙を台紙に施した横長の窓に挿通して、カレンダー用紙の折り目が横長の窓下辺部上縁で支持されるカレンダーがあった（特許文献１参照）。本出願人は、カレンダー用紙上部にスリットを施し、前板と裏板に上下に位置する横長のスリットを施した支持板でカレンダー用紙を挟み、シート状綴じ具を支持板下部のスリットとカレンダー用紙のスリットに挿通し、さらに支持板上部のスリットに挿通して綴じたカレンダーを提案している（特許文献２参照）。
【先行技術文献】
【特許文献】
【特許文献１】  特開２００５−３０５８８０号公報
【特許文献２】  実用新案登録第３１７６３８８号
【発明の概要】
【発明が解決しようとする課題】
【０００３】  従来の壁掛けカレンダーは、カレンダー用紙の上端部を綴じる形式で、カレンダー用紙を一括固定して綴じているために、カレンダー用紙毎に社名等を印刷し切り取りミシンを施しカレンダー用紙を切り取っていた。このため、切り取ったカレンダー用紙をその都度廃棄する場合が殆どだった。特許文献１では、カレンダー用紙を台紙に施した横長の窓に支持して台紙に設けた穴で壁掛けをするという構造と台紙の形状から、安定して吊り下げるには台紙にかなりの厚紙を必要とした。このため台紙に社名や広告宣伝等の印刷をするには、箔押しやスクリーン印刷などの印刷設備が必要だった。また、特許文献２では、シート状綴じ具を印刷してカレンダー用紙を挿通して綴じるのに手間がかかり過ぎていた。【０００４】  本発明は、カレンダー用紙に切り取りミシンを施さず、綴じ具や接着剤を使用しないで、カレンダー用紙に設けたスリットに吊り支持具の裏板と底板を挿通し、カレンダー用紙上部を吊り支持具に係止して吊り支持具で支持し、吊り支持具表板の穴と裏板の穴をピンやフック等で止める。これにより、カレンダー用紙の差しかえや並べ替えが簡単にできる吊り支持具でカレンダー用紙を係止して支持するカレンダーを提供することを課題とする。
【課題を解決するための手段】
【０００５】  本発明は以上の問題を解決するためになされたものであって、第１の発明は、表板、底板及び裏板が断面コ字形を形成し、表板、底板及び裏板からなる吊り支持具とスリットを設けたカレンダー用紙からなり、表板及び裏板の少なくとも一方の幅と底板の幅がカレンダー用紙に設けたスリットの長さより短く形成し、該スリットに吊り支持具を挿通し吊り支持具でカレンダー用紙を係止して支持することを特徴とするカレンダーである。【０００６】  第２の発明は、前記吊り支持具表板の左右下部に切り欠きを設け、表板下部の幅がカレンダー用紙に設けたスリットの長さより短く形成することを特徴とする請求項１に記載のカレンダーである。【０００７】  第３の発明は、前記吊り支持具が可撓性を有し、吊り支持具が撓んで吊り下げることを特徴とする請求項１から２のいずれかに記載のカレンダーである。【０００８】  第４の発明は、前記吊り支持具が紙、布、樹脂及び金属の中から選ばれ、単一のシート又は複合シートであることを特徴とする請求項１から３のいずれかに記載のカレンダーである。【０００９】  第５の発明は、前記吊り支持具が表板上部に切れ目を施した天板を設け、裏板下部に切れ目を施した差し込み部を設け、裏板下部の差し込み部を天板切れ目に挿入して、天板、表板、底板及び裏板が断面四角形を形成し、吊り支持具の幅を用紙に設けるスリットの長さより、やや短めにすることで、掲載の終わったカレンダー用紙を吊り支持具から取ることなく、吊り支持具を挿通してカレンダー用紙の後部に移動することができることを特徴とする請求項１から４のいずれかに記載のカレンダーである。
【発明の効果】
【００１０】  本発明による効果は、第１の発明では、スリットを設けた複数枚のカレンダー用紙は、吊り支持具表板下端と裏板下端に連接する底板を、裏板、底板の順にスリットに挿通し、表板、底板及び裏板で形成する断面コ字形の底板に係止され、綴じ具や接着剤または圧着などで固定されていないので、吊り支持具を該スリットから自由に抜き差してカレンダー用紙の差しかえや並べ替えが容易にできる。また、吊り支持具の交換又はカレンダー用紙の変更又はカレンダー用紙の補充も容易にできる上、吊り支持具とカレンダー用紙は紙を使用するので分別の必要もなく、リサイクルや焼却ができる。さらに、表板の幅が係止するカレンダー用紙の幅より大きくても良く、表板に広い印刷スペースを確保し、多様な印刷表現で様々な広告ができる。また、名刺を保持する切れ目を入れることもできる。【００１１】  吊り支持具に係止するカレンダー用紙は、カレンダー以外にも絵、葉書、写真など各種の表示が考えられ、カレンダー用紙も多様な材質を使用することができる。なお、カレンダー用紙の後ろに配置するカレンダー用紙裏板も多様な材質を使用することができるが、カレンダー用紙より厚手の紙でカレンダー用紙より大きい寸法にして、カレンダー用紙の保護や装飾やアクセント的な表示を目的にする。【００１２】  第２の発明では、表板の左右下部に切り欠きを施して表板下部の幅を底板の幅と同じにし、さらに底板の奥行きを広くすることで、係止したカレンダー用紙が捲りやすくなる。これにより次カレンダー用紙が順次見易くなる。【００１３】  第３の発明によると、吊り支持具が可撓性を有しているので、吊り支持具表板を撓ませて膨らみをもたせることができる。また、表板の穴を上位置に裏板の穴を下位置に施してピンや釘などに差し入れると、吊り支持具表板が撓んで上伸する力と裏板を押し下げる力が生ずるので、表板の穴下端と裏板の穴上端でピンや釘などを挟み安定して吊り下げることができる。【００１４】  第４の発明によると、吊り支持具が紙、布、樹脂及び金属などの各種の材質から選択できることから、各種材質の単一シートによる吊り支持具、各種の材質の複合シートを作成できる。このため、吊り支持具に多様な目視効果と強度を持たせることができる。また、樹脂や金属で吊り支持具を成形すると長期の使用に耐えるので、短期で廃棄せずにカレンダー用紙のみを交換することができる。【００１５】  第５の発明によると、吊り支持具を四角状筒型に構成するので、吊り支持具上部が開放していないことで、吊り支持具をカレンダー用紙から脱着しなくても、係止したカレンダー用紙を裏側に移動できる。
【図面の簡単な説明】
【００１６】
【図１】  本発明の吊り支持具を用いたカレンダー斜視図
【図２】  吊り支持具を展開した平面図
【図３】  本発明に用いるスリットを上端部に施したカレンダー用紙
【図４】  吊り支持具にカレンダー用紙を係止した側面図
【図５】  吊り支持具の形態の第２の例を示す平面図
【図６】  吊り支持具の形態の第３の例を示す平面図
【図７】  吊り支持具の形態の第４の例を示す平面図
【図８】  吊り支持具の表板が撓んでカレンダー用紙を係止した側面図
【図９】  吊り支持具が角形筒状の形態例を示す平面図
【図１０】  吊り支持具形状の切抜線で切断する台紙の例を示す平面図
【発明を実施するための形態】
【００１７】  以下、本発明の実施の形態について、図面を参照して説明する。
図１に、本発明の吊り支持具でカレンダー用紙を係止するカレンダーにおける実施形態の例を示す。図１は、表板１ａ、底板１ｃ及び裏板１ｂが断面コ字形になるよう折り曲げた吊り支持具１の裏板１ｂと底板１ｃの幅を、カレンダー用紙２に設けたスリット３の幅より短くして裏板１ｂと底板１ｃをスリット３に挿通し、カレンダー用紙２の上部を底板１ｃに係止して吊り支持具１で支持した状態である。図１では、カレンダー用紙裏板を表示していないが、用紙の保護や装飾のために設けることができる。また、カレンダー用紙に表紙を付けることもできる。
【００１８】  図２に示すように、吊り支持具表板１ａの左右下部を幅ＷＫ、高さ１ａｓで切り欠き、表板１ａの下部幅を裏板１ｂと底板１ｃの幅Ｗ２と同じにすることで、カレンダー用紙２が底板１ｃから表板１ａの下部に移動できることで、カレンダー用紙２を捲りやすくする。表板１ａの高さＬ３から切り欠き高さ１ａｓを差し引いた表板部の幅Ｗ２’は、カレンダー用紙２の幅より広くして広告スペースを大きく確保することができる。また、表板１ａの四隅は角丸にすることで痛むのを減らすことができる。
【００１９】  また、吊り支持具１に厚紙を使用し、容易に折り曲げられない場合は、折り筋Ｓ１、Ｓ２を付けることにより、容易に折り曲げることができる。
【００２０】  吊り支持具１は、自由な形状の抜き刃型を作れるフレキシブルダイ刃型を使用することで、図５から図７に示すように、表板１ａ、裏板１ｂ及び底板１ｃを自由な形状で構成して、台紙から切り抜くことができる。この時同時に、表板穴４ａと裏板穴４ｂを切り抜くことができるが、刃型の一部を不連続にして、台紙から吊り支持具１を切り抜く際に台紙と吊り支持具１が僅かにつながり、台紙の抜きカスが機械内部に落下しないようにし、吊り支持具１を台紙から切り離す時は容易に分離するよう刃型を設計する。
【００２１】  ロータリー式の切り抜き機の場合は、回転方向の縮小率を考慮してフレキシブルダイ刃型を設計する必要がある。吊り支持具１への印刷は、印刷してから切り線を施すのがよいが、切り線を施した台紙に印刷する場合は、印刷機に抜きカスが落下しないようにし、吊り支持具１が切り離されないようにする必要がある。
また、折り筋Ｓ１とＳ２を間隔ＷＳで施すことは、形抜きと同時でなくてもよく、筋入れ機を使用してもできる。折り筋Ｓ１とＳ２間がカレンダー用紙を支持する底板１ｃとなるが、折り筋Ｓ１とＳ２の間隔ＷＳは任意に決定され、表板１ａ、底板１ｃ及び裏板１ｂが断面コ字形になるよう折り曲げた吊り支持具１の穴４ａと穴４ｂが対称の位置になるように設ける。また、穴４ａと穴４ｂはハトメを施すことや補強材を貼り付けることで補強する。
【００２２】  図２に於いて、折り筋Ｓ１と穴４ａの端までの長さＬ１と、折り筋Ｓ２と穴４ｂの端までの長さＬ２は、Ｌ１＝Ｌ２の関係にあるので吊り支持具１の穴４ａと穴４ｂが対称の位置になる。また、折り筋Ｓ１と表板１ａの端までの長さＬ３と、折り筋Ｓ２から裏板１ｂの端までの長さＬ４は、Ｌ３とＬ４の関係はデザイン上では特には拘らない。
【００２３】  また、裏板１ｂと底板１ｃの最大幅Ｗ２は、図３に示すスリット幅Ｗ１より短い。
表板１ａの最大幅Ｗ２’は、図３に示すカレンダー用紙幅を超えて広幅にできる。
【００２４】  図４に示す側面図は、吊り支持具裏板１ｂと底板１ｃを、カレンダー用紙２のスリット３に挿通して、底板１ｃにカレンダー用紙２を係止して吊り支持具１で支持している。また、表板１ａと裏板１ｂが相対する面の上部を接着分離ができるように、何度も分離接着することができる接着剤塗布やマジックテープを貼付けることで上端部の開閉ができる。
【００２５】  図５に示すのは、吊り支持具形態の第２の例である。表板１ａに於ける最大幅Ｗ３’と裏板１ｂに於ける最大幅Ｗ３が同じ場合で、この最大幅Ｗ３はカレンダー用紙スリット幅Ｗ１より短い。このため表板１ａと裏板１ｂのどちらからでも吊り支持具１を抜き差しすることができる。
【００２６】  図６に示すのは、吊り支持具形態の第３の例である。表板１ａの形状が円形状であり、やわらかなイメージをもたせることができることを表した例である。
【００２７】  図７に示すのは、吊り支持具形態の第４の例である。折り筋Ｓ１から表板１ａの端までの長さＬ３が、折り筋Ｓ１と穴４ａの端までの長さＬ１に比較して大きく、穴４ａの上方にも表板１ａの形状を自由にデザインできる。また、表板１ａの下端部に切り欠きを施しておらず、カレンダー用紙を捲りにくい構造になっているが、底板１ｃの間隔が狭くなっており、包装が平らにできる特長がある。
【００２８】  図８に示すのは、吊り支持具に可撓性があり、図２に示すＬ１とＬ２の関係をＬ１＞Ｌ２として、穴４ａと穴４ｂの位置を変えてピンやフックなどに差し込んだ側面図である。この場合は、吊り支持具表板１ａが撓んで伸長する力が生じ、裏板１ｂを押し下げるから、表板１ａと裏板１ｂがピンやフックを上下から挟みつけるので吊り支持具１がピンやフックから抜けにくくなる。
【００２９】  図９に示すのは、四角状筒型の吊り支持具１を構成するために、吊り支持具１に折り筋Ｓ１〜Ｓ５と切れ目Ｋ１、Ｋ２及びＫ２’を施した平面図である。図中の折り筋Ｓ１〜Ｓ５を折り曲げると、折り筋Ｓ１とＳ２の間に底板１ｃ、折り筋Ｓ１とＳ３の間に表板１ａ、折り筋Ｓ２とＳ５の間に裏板１ｂ、折り筋Ｓ３とＳ４の間に天板Ｔ１、折り筋Ｓ４とＳ４’を折り曲げて切れ目Ｋ１を施し天板につながるのりしろ部Ｔ２、切れ目Ｋ１とＫ２を施した差し込み部Ｔ３ができる。のりしろ部Ｔ２の切れ目Ｋ１に差し込み部Ｔ３を差し込んで、四角状筒型の吊り支持具１を形成する。のりしろ部Ｔ２は糊付けしなくても、切れ目Ｋ１に差し込んだ差し込み部Ｔ３の切れ目Ｋ１とＫ２により差し込み部Ｔ３は抜けにくくなる。
【００３０】  また、図２の１ｂ、図５の１ｂ、図６の１ｂ、図７の１ｂに示すように、吊り支持具の裏板１ｂの形状は、カレンダー用紙スリット３に差し込みやすい形状の一例を示している。しかし、裏板１ｂの最大幅Ｗ２が図３に示すスリット幅Ｗ１より短ければ、裏板１ｂの形状も自由なデザインが可能である。
【００３１】  図１０に示すのは、吊り支持具１を切り抜くために切断部ＣＬと非切断部ＮＣと折り筋Ｓ１とＳ２を施した吊り支持具台紙Ｄの平面図である。非切断部ＮＣは吊り支持具１と吊り支持具台紙Ｄを僅かに接続しており適当な位置に必要数が設けてある。この非切断部ＮＣは指などで圧力を加えると容易に分離できるが、プリンターなどで印刷する場合は分離しないで印刷可能な程度に調整されている。
【００３２】  カレンダー用紙２の表示内容は、カレンダー又はメモ用紙又はアルバム等でも良く、その種類を限定しない。また、カレンダー用紙２はスリットを設けることができれば良く、カレンダー用紙２の材質も限定しない。吊り支持具１は、カレンダー用紙支持強度が充分で、印刷特性が良く、切り抜き特性も良い必要があるので、厳選した厚紙を使用する。
【００３３】  また、表示を省いているが、図１に表示するカレンダー用紙２の前にスリット３を施した透明なフィルム状のカレンダー用紙を配置し、カレンダー用紙２の後にスリット３を施した台紙を配置するとカレンダー用紙２の汚れを防ぎ保護することができる。さらに、台紙をカレンダー用紙２より大きくして色紙などを使用すると効果的なアクセントとなる。
【００３４】  吊り支持具は、単一素材のシートばかりでなく、布や合成紙などの貼り合わせ等による複合シートも可能である。この場合、樹脂又は金属も素材として使用可能である。さらに、吊り支持具は樹脂又は金属を成形して構成することもできる。この場合は、射出成形やプレス成形した吊り支持具に、箔押し又はシルクスクリーン印刷又はインクジェット方式などの印刷が可能である。
【００３５】  厚紙を使用した吊り支持具は、手書き又は各種の印刷方法又はプリンター出力又はコピーなどの手段で、多様な表示効果を表現することができる。
【００３６】  カレンダー用紙上部にミシン目を入れて、ミシン目から切り離すことで、カレンダー用紙を差しかえずに切り取ることも可能である。この場合は、切り取り時の抵抗が少なく、容易に切り取れるミシン目を選ぶ必要がある。例としては、マイクロミシンなどがある。
【符号の説明】
【００３７】  １    吊り支持具
１ａ  表板
１ｂ  裏板
１ｃ  底板
２    カレンダー用紙
３    カレンダー用紙スリット
４    穴
４ａ  表板穴
４ｂ  裏板穴
Ｓ１  １ａ部折り筋
Ｓ２  １ｂ部折り筋
【図１】
2014231215.tif 000003
【図２】
2014231215.tif 000004
【図３】
2014231215.tif 000005
【図４】
2014231215.tif 000006
【図５】
2014231215.tif 000007
【図６】
2014231215.tif 000008
【図７】
2014231215.tif 000009
【図８】
2014231215.tif 000010
【図９】
2014231215.tif 000011
【図１０】
2014231215.tif 000012